(57)【特許請求の範囲】
【請求項１】
材料のジュース分を透過するフィルタ部を周面に有し且つ前記材料の繊維を通過させる所定の大きさの穴を前記フィルタ部に設けた遠心分離カゴと、前記穴を閉塞するための閉塞部を有するとともに前記遠心分離カゴに回動可能に嵌合される調整リングと、この調整リングを回動させて前記閉塞部が穴を閉塞する閉塞位置とその穴を開放する開放位置とにその調整リングを位置決めする位置決め機構とを備えたジューサの遠心分離装置であって、
前記位置決め機構は、前記遠心分離カゴと調整リングのいずれか一方に設けられた係止部と、一端が他方に固定されるとともにその他方の周面から所定距離離間して遠心分離カゴの回転方向と逆方向へ延びて他端が自由端となっている係止片と、この係止片に設けられ前記係止部に係合して調整リングを前記閉塞位置と開放位置とに位置決めする係合部とを有していることを特徴とするジューサの遠心分離装置。
【請求項２】
材料のジュース分を透過するフィルタ部を周面に有し且つ前記材料の繊維を通過させる所定の大きさの穴を前記フィルタ部に設けた遠心分離カゴと、前記穴を閉塞するための閉塞部を有するとともに前記遠心分離カゴに回動可能に嵌合される調整リングと、この調整リングを回動させて前記閉塞部が穴を閉塞する閉塞位置とその穴を開放する開放位置とにその調整リングを位置決めする位置決め機構とを備えたジューサの遠心分離装置であって、
前記位置決め機構は、前記遠心分離カゴと調整リングのいずれか一方に設けられた係止部と、一端が他方に固定されるとともにその他方の周面から所定距離離間して周方向に沿って延びて他端が自由端となっている係止片とを有し、
前記係止部に係合して調整リングを前記閉塞位置と開放位置とに位置決めする係合部を形成するための複数の凸部を前記係止片に周方向に沿って設け、これら複数の凸部は前記自由端側に位置する凸部ほどその凸部の高さが高くなっていることを特徴とするジューサの遠心分離装置。
【請求項３】
材料のジュース分を透過するフィルタ部を周面に有し且つ前記材料の繊維を通過させる所定の大きさの穴を前記フィルタ部に設けた遠心分離カゴと、前記穴を閉塞するための閉塞部を有するとともに前記遠心分離カゴに回動可能に嵌合される調整リングと、この調整リングを回動させて前記閉塞部が穴を閉塞する閉塞位置とその穴を開放する開放位置とにその調整リングを位置決めする位置決め機構とを備えたジューサの遠心分離装置であって、
前記位置決め機構は、前記遠心分離カゴと調整リングのいずれか一方に設けられた係止部と、一端が他方に固定されるとともにその他方の周面から所定距離離間して遠心分離カゴの回転方向と逆方向へ延びて他端が自由端となっている係止片とを有し、
前記係止部に係合して調整リングを前記閉塞位置と開放位置とに位置決めする係合部を形成するための複数の凸部を前記係止片に周方向に沿って設け、これら複数の凸部は自由端側に位置する凸部ほどその凸部の高さが高くなっていることを特徴とするジューサの遠心分離装置。
【発明の詳細な説明】
【０００１】
【発明の属する技術分野】
本発明は、野菜や果物のような材料からジュースを作るジューサのための遠心分離装置に関し、特に、使用後の洗浄が容易な遠心分離装置に関する。
【０００２】
【従来の技術】
ジューサは、電動機の駆動力により回転される逆円錐形状を有する遠心分離カゴを備える。ジューサを用いてジュースを作るには、小切りされた野菜や果物のような材料がピストンと称される押し棒で遠心分離カゴの底部に設けられたカッターに押し付けられる。カッターに押し付けられた材料は、カッターの高速回転により粉砕され、摺りおろされる。
【０００３】
摺りおろされた材料は、遠心分離カゴの回転に伴う遠心力により、遠心分離カゴの傾斜するフィルタ部に沿って、遠心分離カゴの上端へ向けて案内される。この案内過程で、液体成分は、遠心力により、フィルタ部を通り抜け、遠心分離カゴの外周に配置されたジュース受け皿を経てジュースカップに集められる。
【０００４】
摺りおろされた材料のうち繊維のような固形成分は、フィルタ部を通り抜けることなく、遠心力により、遠心分離カゴの上端の開口からかすを集めるかすケースに放出される。
【０００５】
この種のジューサの１つに、例えば特公昭５７−１１２０９号公報に記載のジューサが知られている。このジューサでは、図１５に示すように、遠心分離カゴ１００のフィルタ１０１に所定の大きさの果肉を通過させる通孔１０２を設け、遠心分離カゴ１００の下方フレームである円形の保持枠１０３に環状溝１０３ａを形成し、この環状溝１０３ａに周方向へ移動可能なリング１０４を嵌合し、該リング１０４に通孔１０２を開閉するための開閉壁１０５を設け、この開閉壁１０５により通孔１０２を閉鎖する閉鎖位置および通孔を開放させる開放位置にリング１０４を位置決めする位置決め機構１０６を設けている。
【０００６】
位置決め機構１０６は、リング１０４の外周面に、保持枠１０３に突出する突起１０７を設け、この突起１０７に係合する複数の穴１０８（図には、その一方のみを示す。）を環状溝１０３ａ内から円形保持枠１０３の外周面に向けて径方向に貫通させて構成したものである。
【０００７】
リング１０４の回転操作により、リング１０４の突起１０７を他方の穴１０８（図示せず）に弾撥的に係合させることにより、閉鎖位置に位置決めしてフィルタ１０１の通孔１０２を開閉壁１０５で閉鎖させる。この状態でジューサを作動させると、通孔１０２から果肉が飛び出すことが無く、これによりフィルタ１０１を透過する液体成分のみからなる澄んだジュースが得られる。他方、リング１０３の回転操作により、図１５に示すように、リング１０４の突起１０７を一方の穴１０８に弾撥的に係合させることにより、開放位置に位置決めして通孔１０２を開放させる。この状態でジューサを作動させると、フィルタ１０１を透過するジュース成分の他に繊維や果肉がフィルタ１０１の通孔１０２を経て、そのジュースと共にジュースカップ内に溜まることになる。
【０００８】
すなわち、この開閉機構１０６の操作により、果肉を含まない澄んだジュースと、果肉を含む繊維分に富んだジュースとを作り分けることができる。
【０００９】
【発明が解決しようとする課題】
しかしながら、従来の前記ジューサでは、リング１０４の回転位置および閉鎖位置を規定すべく該リング１０４の突起１０７に係合する穴１０８は、遠心分離カゴ１００の円形保持枠１０３にその径方向すなわち横方向に形成されている。この穴１０８は、比較的小径であり、しかも環状溝１０３ａ内に臨む穴１０８の一方の開口端１０８ａは、リング１０４の外周面１０４ａで塞がれた状態になり、穴１０８の他方の開口端は開放している。
【００１０】
そのため、ジューサの動作中に、遠心分離カゴ１００の通孔１０２を通り抜けた固形成分が液体成分と共に遠心分離カゴ１００の外方に配置されたジュース受け皿に向けて落下する過程で、遠心分離カゴ１００に沿って流れてくる固形成分が穴１０８に入り込んでしまうと、この穴１０８は一端１０８ａが閉鎖されているとともに小径であることから、洗浄の際、その穴１０８にたまった固形成分を洗い出すことは容易ではない。
【００１１】
そこで、本発明の目的は、繊維のような固形成分の残りかすを容易に洗浄することができる遠心分離装置を提供することにある。
【００１２】
【課題を解決するための手段】
この目的を達成するため、本発明は、材料のジュース分を透過するフィルタ部を周面に有し且つ前記材料の繊維を通過させる所定の大きさの穴を前記フィルタ部に設けた遠心分離カゴと、前記穴を閉塞するための閉塞部を有するとともに前記遠心分離カゴに回動可能に嵌合される調整リングと、この調整リングを回動させて前記閉塞部が穴を閉塞する閉塞位置とその穴を開放する開放位置とにその調整リングを位置決めする位置決め機構とを備えたジューサの遠心分離装置であって、前記位置決め機構は、前記遠心分離カゴと調整リングのいずれか一方に設けられた係止部と、一端が他方に固定されるとともにその他方の周面から所定距離離間して遠心分離カゴの回転方向と逆方向へ延びて他端が自由端となっている係止片と、この係止片に設けられ前記係止部に係合して調整リングを前記閉塞位置と開放位置とに位置決めする係合部とを有していることを特徴とする。
【００１３】
【発明の実施の形態】
以下、本発明を図示の実施の形態に沿って詳細に説明する。
【００１４】
本発明に係る遠心分離装置が組み込まれたジューサ１０は、図１および図２に示されているように、駆動源として電動モータ１１（図１参照）が内蔵された本体１２と、該本体１２上に着脱可能に装着され、上端開放の筒状のジュース受け皿１３ａを内側に形成し、該ジュース受け皿１３ａの外側にかすケース１３ｂを一体的に形成した容器１４と、ジュース受け皿１３ａ内に着脱可能に配置され、ジュース材料を摺り下ろしてジュース分とかす分とに分けるための遠心分離装置１５と、該遠心分離装置１５の上方および容器１４を覆うとともに、本体１２に着脱可能に取り付けられる蓋１７とを備える。
【００１５】
蓋１７には、材料を遠心分離装置１５内に投入するための投入筒１８が形成されており、投入筒１８には、ジュース材料を押し込むための押し棒であるピストン１９が着脱自在に挿入されている。また、本体１２の下部に設けた載置台１２ａ上には、ジュース受け皿１３ａに形成された流出口２０（図１参照）からのジュースを受けるジュースケース２１が載置されている。このジュースケース２１には、ジュースケース蓋２２が取り外し可能に装着されている。ジュースケース蓋２２には、開口２３が形成され、流出口２０からのジュースがその開口２３を介してジュースケース２１内に溜まるようになっている。
【００１６】
電動モータ１１の出力軸１１ａには、カップリング２４が固定されており、遠心分離装置１５は、カップリング２４と後述する遠心分離装置１５のカップリング３６との結合により、遠心分離装置１５の上方から見て、例えば、反時計方向に駆動回転される。
【００１７】
遠心分離装置１５は、図３に示すように、下端から上端へ向けて径を漸増させる逆円錐状の遠心分離カゴ２５と、遠心分離カゴ２５の下部の外側に回転可能に嵌合される環状の合成樹脂製の調整リング２６と、該調整リング２６を遠心分離カゴ２５の下部に回転可能に保持する環状のホルダー２７とを備えている。
【００１８】
遠心分離カゴ２５は、樹脂製の環状保持枠２８と、下部が保持枠２８に保持されているとともに上方にいくほど径が大きくなる筒状のフィルタ部材３０と、このフィルタ部材３０の上縁部を保持した合成樹脂製の環状補強枠２９とを備えている。
【００１９】
フィルタ部材３０は、液体が透過する多数の小孔（図示せず）が形成された複数のフィルタ部３０ａを有する。複数のフィルタ部３０ａは、フィルタ部材３０の周方向に沿って配置されており、またフィルタ部材３０の下部、すなわち環状保持枠２８の近傍には、フィルタ部３０ａを除く領域に、フィルタ部材３０の小孔よりも大きい径の排出孔３１ａと、この排出孔３１ａの径より小さく上記小孔よりも径の大きい排出孔３１ｂとが、それぞれ対をなして形成されている。
【００２０】
排出孔３１ａ、３１ｂは、図４に示すように配置されている。すなわち、フィルタ部材３０の一対の接合部３０ｂを結ぶ仮想直線と直角な径方向の仮想直線上に排出孔３１ａが一対配置され、一対の排出孔３１ａを結ぶ仮想線の両側で、その仮想線とほぼ４５°の角度をなす仮想線上にそれぞれ一対づつ排出孔３１ｂが配置されている。また環状保持枠２８の上面には、遠心分離カゴ２５の内側に配置されたカッター３２が固定されている。
【００２１】
また、保持枠２８の外周面には、図５に示すように、フィルタ部材３０の接合部３０ｂに対応する位置に、一対の突起部（係止部）３３が形成されている。各突起部３３は、図３に示すように上下方向に伸びている。突起部３３は、後述する位置決め機構の構成要素として機能する。
【００２２】
調整リング２６の上面には、各排出孔３１ａ、３１ｂを開閉するための閉塞部となる突起３４ａ、３４ｂ、３４ｃが上方に突出して設けられている。
【００２３】
各突起３４ａ〜３４ｃは、図６に示すように配置され、一対の突起３４ａは一対の排出孔３１ａを閉塞するものであり、２組の一対の突起３４ｂは２組の一対の排出孔３１ｂを閉塞するものである。また、突起３４ａに隣接して一対の突起３４ｃが設けられており、この突起３４ｃは、排出孔３１ａを閉塞するものである。各突起３４ａ〜３４ｃには、ジュース分との衝突による飛散を緩和するために、周方向側の両エッジと上部のエッジとに面取（Ｒ）が施されている。
【００２４】
調整リング２６は、図７および図１０に示すように、保持枠２８の外周側に回動自在に嵌合され、ホルダー２７が図１に示すようにかしめピン３５で遠心分離カゴ２５の環状保持枠２８に固定されている。このホルダー２７によって調整リング２６は環状保持枠２８から外れないように回動自在に保持されている。この調整リング２６を回動させることにより排出孔３１ａ、３１ｂを突起３４ａ〜３４ｃで閉塞したり開放したりするものである。ホルダー２７の下面には、電動モータ１１のカップリング２４に着脱可能に結合される前記したカップリング３６が形成されている。
【００２５】
また、遠心分離装置１５には、遠心分離カゴ２５に対する調整リング２６の回転位置を位置決めする位置決め機構３７が設けられている。
【００２６】
位置決め機構３７は、図７に示すように、環状保持枠２８の突起部３３と、調整リング２６の内側に形成された係止片３９とを備えている。
【００２７】
係止片３９は、図６に示すように、調整リング２６の内側に設けた一対の凹所３８内にそれぞれ形成されいる。この係止片３９は凹所３８の一端部３８ａから周方向に沿って延びており、その延びる方向は遠心分離カゴ２５の回転方向と逆方向になっている。凹所３８は上下方向（肉厚方向）に貫通しており、係止片３９と凹所３８の側部３８ｃとの間には所定の幅の間隙３８ｄが形成されている。また、係止片３９の先端と凹所３８の他端部３８ｂとの間に所定の間隙４０ｃが形成され、その係止片３９の先端部は自由端となっており、係止片３９は基部（後端部）３９ａを支点にして径方向側へ弾性変形する片持バネとして機能するようになっている。
【００２８】
調整リング２６が前記した排出孔３１ａ、３１ｂを閉塞する図１０に示す回転位置、排出孔３１ａを閉塞し排出孔３１ｂを開放する図１１に示す回転位置、排出孔３１ａ、３１ｂを開放する図１２に示す回転位置のいずれにあっても、図７に示されるように、調整リング２６の凹所３８の下部はホルダー２７のフランジ２７ｆによって閉塞されず、開放された状態となっている。
【００２９】
しかも、凹所３８の他端部３８ｂは、間隙４０ｃにより調整リング２６の内側に開放していることから、間隙３８ｄの一端部の幅より径方向の幅が広くなっている。
【００３０】
また、係止片３９には、調整リング２６の内側へ突出した２つの凸部４１ａ、４１ｂが形成され、凸部４１ｂの高さＨ２は凸部４１ａの高さＨ１より高く設定されており、凸部４１ｂは係止片３９の先端部に形成されている。この凸部４１ａと係止片３９の基部３９ａとの間と、凸部４１ａと凸部４１ｂとの間は環状保持枠２８の突起部３３が係合する凹部４０ｂ、４０ｂとなっている。また、凸部４１ｂと凹所３８の端部３８ｂとの間の間隙４０ｃの幅は環状保持枠２８の突起部３３が係合できるように設定されている。
【００３１】
そして、図８に示すように環状保持枠２８の突起部３３を係止片３９の凹部４０ａに係合させると、図１０に示すように調整リング２６の突起３４ａ、３４ｂが遠心分離カゴ２５の排出孔３１ａ、３１ｂを閉塞する。また、環状保持枠２８の突起部３３を係止片３９の凹部４０ｂに係合させると、図１１に示すように調整リング２６の突起３４ｃが遠心分離カゴ２５の排出孔３１ａを閉塞し、図９に示すように環状保持枠２８の突起部３３を間隙４０ｃに係合させると、図１２に示すように全ての遠心分離カゴ２５の排出孔３１ａ、３１ｂが開放されるようになっている。
【００３２】
このような突起部３３と各凹部４０ａ、４０ｂ、４０ｃとの係合により、遠心分離カゴ２５と調整リング２６とが一体的に駆動回転される。
【００３３】
調整リング２６の各回転位置への切り替え操作では、図１３および図１４に示すように突起部３３が係止片３９のばね力に打ち勝ってその突起部３３が凸部４１ａ、４１ｂを乗り越えていくことになるが、係止片３９は基部３９ａを支点にして径方向へ弾性変形することにより、突起部３３が凸部４１ａを乗り越える際には、凸部４１ｂを乗り越えるときの力より大きな力が必要となる。しかし、凸部４１ａは凸部４１ｂより高さが低く設定されているので、調整リング２６の回転操作力は回転位置に拘わらずほぼ一定となる。このため、同一の操作感で調整リング２６を回転操作することができる。
【００３４】
次に、上記のように構成されるジューサ１０の動作について説明する。
【００３５】
遠心分離装置１５を本体１２に装着された容器１４内に配置するに先立ち、所望とする繊維成分の度合いに応じたジュースを得るために、調整リング２６を前記した所望の回転位置に設定する。その後、遠心分離装置１５をそのカップリング３６が電動モータ１１のカップリング２４に結合するように容器１４内にセットする。そして、図１に示すように容器１４に蓋１７を取り付けるとともに、ジュースケース２１を載置台１２ａに載置する。
【００３６】
電動モータ１１の駆動により、遠心分離装置１５が一方向に駆動回転されると、小切りされた野菜や果物のような材料がピストン１９を用いて、遠心分離装置１５の遠心分離カゴ２５の底部に設けられたカッター３２に押し付けられる。カッター３２に押し付けられた材料は、カッター３２の高速回転により粉砕され、摺りおろされる。
【００３７】
摺りおろされた材料は、遠心分離カゴ２５の回転に伴う遠心力により、遠心分離カゴ２５のフィルタ部材３０の傾斜面に沿って遠心分離カゴ２５の上端へ向けて移動する。
【００３８】
この移動過程で、液体成分は遠心力によりフィルタ部３０ａの前記小孔を透過し、遠心分離カゴ２５ の外周に配置されたジュース受け皿１３ａ内に放出され、ジュース受け皿１３ａの流出口２０からジュースケース２１に集められる。
【００３９】
他方、例えば調整リング２６が排出孔３１ａ、３１ｂを閉鎖する回転位置に保持されていると、摺りおろされた材料のうち繊維のような固形成分は、フィルタ部３０ａを透過することなく、遠心力により遠心分離カゴ２５の上端部からかすケース１３ｂに放出され、該かすケース１３ｂにかすとして集められる。
【００４０】
また、調整リング２６が排出孔３１ａを閉塞しかつ排出孔３１ｂを開放する回転位置あるいは排出孔３１ａ、３１ｂを開放する回転位置にあるとき、それらの位置に応じて開放された排出孔３１ａ、３１ｂから繊維あるいは果肉のような固形成分がジュース受け皿１３ａに排出され、液体成分と共にジュースケース２１内に溜められる。
【００４１】
従って、調整リング２６の回転位置の調整により、繊維や果肉の少ない澄んだジュース、繊維や果肉のような固形成分を僅かに含むジュースおよびこれら固形成分が多量に含まれたジュースを作り分けることができる。
【００４２】
調整リング２６には、間隙３８ｄが形成されているが、この間隙３８ｄは上下方向に開放されている。そのため、遠心分離カゴ２５の外方をジュース受け皿１３に向けて液体成分と共に流れ落ちる繊維が、たとえこの間隙３８ｄ内に入っても、液体成分と共に下方に流れ易いことから、繊維がこれらの間隙３８ｄに残りにくい。
【００４３】
また、調整リング２６の間隙３８ｄに入った繊維等は、遠心分離カゴ２５が矢印方向（図６参照）へ回転していることにより、スリット状の凹所３８の端部３８ｂに押し付けられるが、この端部３８ｂと係止片３９の先端との間に間隙４０ｃが形成されていることにより、凹所３８の端部３８ｂの近傍は幅が広くなっている。このため、端部３８ｂに押し付けられた繊維等は下方へ流れて行きやすくなり、その端部３８ｂに繊維等が溜まってしまうことが防止される。
【００４４】
ちなみに、係止片３９を回転方向へ向けて延ばすと、繊維が間隙３８ｄの端部３８ａに押し付けられることになり、この間隙３８ｄの幅がせまいことから、その間隙３８ｄに繊維が溜まりやすくなる。
【００４５】
さらに、凹所３８の端部３８ｂにたとえ繊維等が溜まっても、凹所３８は上下方向に開放されているとともに凹所３８の端部３８ｂの近傍は幅が広くなっていることから、容器１４から取り出した遠心分離装置１５の凹所３８に水道水のような流水を流すことにより、遠心分離装置１５の凹所３８から残留物を容易に流し出すことができ、したがって、遠心分離装置１５を衛生的に保管することが可能となる。
【００４６】
この実施の形態では、遠心分離カゴ２５の環状保持枠２８に突起部３３を形成し、環状保持枠２８に嵌合する調整リング２６に係止片３９を形成したが、突起部３３を調整リング２６に形成し、係止片３９を環状保持枠２８に形成してもよい。
【００４７】
さらに、突起部３３の替わりに凹部（図示せず）を環状保持枠２８に設け、この凹部に係止片３９の凸部４１ａ、４１ｂを係合させて環状保持枠２８を位置決めできるように構成してもよい。
【００４８】
また、排出孔３１ａ、３１ｂおよび突起３４ａ、３４ｂ、３４ｃの個数および配置は、必要に応じて適宜選択することができる。
【００４９】
【発明の効果】
本発明によれば、以上に説明したように、遠心分離カゴに設けられた固形成分を通過させる穴を開閉するための調整リングの位置決め機構に残留する繊維を従来に比較して容易に洗い流すことができ、これによりジューサの遠心分離カゴを衛生的に保管することが可能になる。
【図面の簡単な説明】
【図１】本発明に係る遠心分離装置を備えるジューサの一部を破断して示す部分断面図である。
【図２】図１に示したジューサを分解して示す斜視図である。
【図３】図１に示した遠心分離装置を分解して示す正面図である。
【図４】図３に示した遠心分離カゴの平面図である。
【図５】図３に示した遠心分離カゴの底面図である。
【図６】図３に示した調整リングの平面図である。
【図７】図３に示した遠心分離装置の縦断面図である。
【図８】調整リングが排出孔３１ａ、３１ｂを閉塞する回転位置にある状態を示す遠心分離装置の底面図である。
【図９】調整リングが排出孔３１ａ、３１ｂを開放する回転位置にある状態を示す遠心分離装置の底面図である。
【図１０】調整リングが排出孔３１ａ、３１ｂを閉塞する回転位置にある状態を示す遠心分離装置の正面図である。
【図１１】調整リングが排出孔３１ａを閉塞し、排出孔３１ｂを開放する回転位置にある状態を示す遠心分離装置の正面図である。
【図１２】調整リングが排出孔３１ａ、３１ｂを開放する回転位置にある状態を示す遠心分離装置の正面図である。
【図１３】調整リングの図１０に示す回転位置から図１１に示す回転位置への操作過程を示す遠心分離装置の部分平面図である。
【図１４】調整リングの図１１に示す回転位置から図１２に示す回転位置への操作過程を示す遠心分離装置の部分平面図である。
【図１５】従来のジューサの一部を示す断面図である。
【符号の説明】
１０  ジューサ
１５  遠心分離装置
２５  遠心分離カゴ
２６  調整リング
２８  環状保持枠
３１（３１ａ、３１ｂ）  穴（排出孔）
３２  カッター
３３  係止部（突起部）
３４（３４ａ、３４ｂ、３４ｃ）  閉塞部
３７  位置決め機構
３８  凹所
３８ｄ  空隙
３９  係止片
４１（４１ａ、４１ｂ）  凸部
【図１】
0003914069.tif 000002
【図２】
0003914069.tif 000003
【図３】
0003914069.tif 000004
【図４】
0003914069.tif 000005
【図５】
0003914069.tif 000006
【図６】
0003914069.tif 000007
【図７】
0003914069.tif 000008
【図８】
0003914069.tif 000009
【図９】
0003914069.tif 000010
【図１０】
0003914069.tif 000011
【図１１】
0003914069.tif 000012
【図１２】
0003914069.tif 000013
【図１３】
0003914069.tif 000014
【図１４】
0003914069.tif 000015
【図１５】
0003914069.tif 000016